(57)【要約】【課題】  搬送ガイドの読取用開口部内に媒体の搬送方向後端部が入り込んで焦点方向に動くことのないようにする。【解決手段】  搬送ローラ対３３〜３５によって搬送される通帳類Ｔをガイドする搬送ガイド２９と、この搬送ガイド２９に設けられた読取用開口部４２と、この読取用開口部４２を閉塞することにより通帳類Ｔの読取用開口部４２への入り込みを規制し、通帳類Ｔが読取位置３２に搬送されたことに基づいて読取用開口部４２を開放する搬送ガイドシャッタ３１と、読取用開口部４２の開放に基づいて通帳類Ｔを搬送させ、この搬送される通帳類Ｔの画像を読取用開口部４２を介して光学的に読み取る読取部２１と、この読取部２１の読取情報に基づいて印刷画像の良否を判別する検査部２２とを具備し、搬送ガイドシャッタ３１は読取用開口部４２の開放時にはその端部で通帳類Ｔの搬送方向後端部を支持し、通帳類Ｔの搬送に伴なって媒体の搬送方向と同方向に移動する。【選択図】      図４
2005153164.tif 000002
【特許請求の範囲】
【請求項１】
画像が印刷された媒体を読取位置に搬送する搬送手段と、
この搬送手段によって搬送される媒体をガイドするガイド手段と、
このガイド手段に設けられた読取用開口部と、
この読取用開口部を閉塞することにより前記媒体の前記読取用開口部への入り込みを規制し、前記媒体が前記読取位置に搬送されたことに基づいて前記読取用開口部を開放する開閉部材と、
前記読取用開口部の開放に基づいて前記媒体を搬送させ、この搬送される媒体の画像を前記読取用開口部を介して光学的に読み取る読取手段と、
この読取手段の読取情報に基づいて前記印刷画像の良否を判別する検査手段と
を具備し、
前記開閉部材は前記読取用開口部の開放時にはその端部で前記媒体の搬送方向後端部を支持し、前記媒体の搬送に伴なって媒体の搬送方向と同方向に移動することを特徴とする画像検査装置。
【請求項２】
前記媒体の搬送方向後端部を支持する前記開閉部材の端部には切欠部が形成されたことを特徴とする請求項１記載の画像検査装置。
【請求項３】
画像が印刷された媒体を読取位置に搬送する搬送工程と、
この搬送工程によって搬送される媒体を読取用開口部を有したガイド部材でガイドするガイド工程と、
前記読取用開口部を開閉部材で閉塞することにより前記媒体の前記読取用開口部への入り込みを規制し、前記媒体が前記読取位置に搬送されたことに基づいて前記開閉部材を移動させて前記読取用開口部を開放する開閉工程と、
前記読取用開口部の開放に基づいて前記媒体を搬送させ、この搬送される媒体の画像を前記読取用開口部を介して光学的に読み取る読取工程と、
この読取工程で得られた読取情報に基づいて前記印刷画像の良否を判別する検査工程と
を具備し、
前記開閉部材は前記読取用開口部の開放時にはその端部で前記媒体の搬送方向後端部を支持し、前記媒体の搬送に伴なって媒体の搬送方向と同方向に移動することを特徴とする画像検査方法。
【請求項４】
媒体に画像を印刷する印刷手段と、
この印刷手段によって画像が印刷された媒体を読取位置に搬送する搬送手段と、
この搬送手段によって搬送される媒体をガイドするガイド手段と、
このガイド手段に設けられた読取用開口部と、
この読取用開口部を閉塞することにより前記媒体の前記読取用開口部への入り込みを規制し、前記媒体が前記読取位置に搬送されたことに基づいて前記読取用開口部を開放する開閉部材と、
前記読取用開口部の開放に基づいて前記媒体を搬送させ、この搬送される媒体の画像を前記読取用開口部を介して光学的に読み取る読取手段と、
この読取手段の読取情報に基づいて前記印刷画像の良否を判別する検査手段と
を具備し、
前記開閉部材は前記読取用開口部の開放時にはその端部で前記媒体の搬送方向後端部を支持し、前記媒体の搬送に伴なって媒体の搬送方向と同方向に移動することを特徴とする画像印刷装置。
【請求項５】
前記媒体の搬送方向後端部を支持する前記開閉部材の端部には切欠部が形成されたことを特徴とする請求項４記載の画像印刷装置。
【請求項６】
媒体に画像を印刷する印刷工程と、
この印刷工程によって画像が印刷された媒体を読取位置に搬送する搬送工程と、
この搬送工程によって搬送される媒体を読取用開口部を有したガイド部材でガイドするガイド工程と、
前記読取用開口部を開閉部材で閉塞することにより前記媒体の前記読取用開口部への入り込みを規制し、前記媒体が前記読取位置に搬送されたことに基づいて前記開閉部材を移動させて前記読取用開口部を開放する開閉工程と、
前記読取用開口部の開放に基づいて前記媒体を搬送させ、この搬送される媒体の画像を前記読取用開口部を介して光学的に読み取る読取工程と、
この読取工程で得られた読取情報に基づいて前記印刷画像の良否を判別する検査工程と
を具備し、
前記開閉部材は前記読取用開口部の開放時にはその端部で前記媒体の搬送方向後端部を支持し、前記媒体の搬送に伴なって媒体の搬送方向と同方向に移動することを特徴とする画像印刷方法。
【発明の詳細な説明】
【技術分野】
【０００１】
本発明は、例えば、通帳類やカード等の印刷媒体に印刷された顔写真や個人情報の良否を検査する画像検査装置、画像検査方法、画像印刷装置、及び画像印刷方法に関する。
【背景技術】
【０００２】
通帳類やカード等の印刷媒体に顔写真や個人情報を印刷する通帳類の印刷機には、サーマルヘッドを画像情報に応じて発熱させることによりインクリボンのインクを長尺で透明フィルム状の中間転写媒体に転写させて画像を印刷し、この印刷された画像を中間転写媒体から通帳類やカード等の最終媒体に転写するものがある。
【０００３】
この中間転写型の通帳類の印刷機は、最終媒体に直接画像を印刷する装置と異なり、専用の受像層を持つ中間転写媒体に画像を形成するため、最終媒体の転写面の状態によらず安定した印刷画像を得ることができる利点がある。
【０００４】
また中間転写媒体の転写層にホログラムパターンを付与することにより偽変造防止効果が高いことも利点となっている。
【０００５】
ところで、このサーマルヘッドを用いた熱転写印刷方式においては、特に、中間転写媒体とインクリボンとの間、また、サーマルヘッドとインクリボンとの間に付着したごみの影響を受け易く、中間転写媒体に印刷された画像が不良になり、その結果最終媒体である通帳類も不良になることがある。
【０００６】
そこで、印刷が完了した通帳類を不良の有無で分別するために通帳類に印刷された画像を検査する検査装置を通帳類の印刷機の内部に搭載し、検査結果が合格であった場合には正常通帳集積庫に集積し、不良であった場合には異常通帳集積庫に集積するようになっている。
【０００７】
検査装置としては、例えば、図１７に示すようなものが知られている。
【０００８】
この検査装置は通帳類Ｔに対して光を照明する光源１０１と、光源１０１により照明されて通帳類Ｔから反射される反射光を所定方向に導くミラー１０２及びレンズ１０３と、このレンズ１０３により導かれる光を受光するＣＣＤセンサ１０４および図示しない画像処理部から構成される検査光学系を備えている。
【０００９】
また、検査装置は、通帳類Ｔを所定の位置にガイドする搬送ガイド１１１ａ，１１１ｂ，１１２と、通帳類Ｔを搬送する搬送ローラ対１１５ａ〜１１５ｃとから構成される通帳類搬送系を備えている。
【００１０】
通帳類Ｔに中間転写印刷された画像情報は、搬送ガイド１１１ａと１１１ｂとの間に形成された開口部１１７を介して光源１０１からの光が照明された状態で通帳類Ｔが搬送されることにより読み取られる。
【００１１】
ところで、上記した搬送ガイド１１１ａ，１１１ｂとの間の開口部１１７には通帳類Ｔの端部が入り込んでジャムすることのないようにガラス搬送ガイド１１９が設けられている。
【００１２】
しかしながら、ガラス搬送ガイド１１９の読取ラインに重なる位置にごみ付着や汚れがついた場合には、通帳類Ｔから反射されてＣＣＤセンサ１０４に向かう反射光がゴミによって遮られてしまう。このため、通帳類Ｔの読取画像に欠陥が生じ、間違った検査結果が生じる問題があった。
【００１３】
そこで、この問題を解決するために、図１８に示すように、搬送ガイド１２１の開口部１２２の媒体搬送方向下流側に搬送媒体の“さそい”になるよう所定の角度を成すように透明部材からなる開口部ガイド１２３を取り付けてなるものがある（例えば、特許文献１参照。）。
【特許文献１】特開２００２−３３８８５号公報
【発明の開示】
【発明が解決しようとする課題】
【００１４】
しかしながら、従来においては、搬送媒体Ｔの搬送方向後端部を支持できないため、搬送媒体の搬送方向後端部が焦点方向に動いて前記透明部材からなる開口部ガイド１２３の端面の影が読取ラインに映ってしまい、それが原因で間違った検査結果が生じるという問題があった。
【００１５】
本発明は上記事情に着目してなされたもので、その目的とするところは、読取用の開口部を形成しても、媒体の搬送方向後端部が焦点方向に動くことのないようにした画像検査装置、画像検査方法、画像印刷装置及び画像印刷方法を提供することにある。
【課題を解決するための手段】
【００１６】
上記課題を解決するため、請求項１記載のものは、画像が印刷された媒体を読取位置に搬送する搬送手段と、この搬送手段によって搬送される媒体をガイドするガイド手段と、このガイド手段に設けられた読取用開口部と、この読取用開口部を閉塞することにより前記媒体の前記読取用開口部への入り込みを規制し、前記媒体が前記読取位置に搬送されたことに基づいて前記読取用開口部を開放する開閉部材と、前記読取用開口部の開放に基づいて前記媒体を搬送させ、この搬送される媒体の画像を前記読取用開口部を介して光学的に読み取る読取手段と、この読取手段の読取情報に基づいて前記印刷画像の良否を判別する検査手段とを具備し、前記開閉部材は前記読取用開口部の開放時にはその端部で前記媒体の搬送方向後端部を支持し、前記媒体の搬送に伴なって媒体の搬送方向と同方向に移動する。
【００１７】
請求項３記載のものは、画像が印刷された媒体を読取位置に搬送する搬送工程と、この搬送工程によって搬送される媒体を読取用開口部を有したガイド部材でガイドするガイド工程と、前記読取用開口部を開閉部材で閉塞することにより前記媒体の前記読取用開口部への入り込みを規制し、前記媒体が前記読取位置に搬送されたことに基づいて前記開閉部材を移動させて前記読取用開口部を開放する開閉工程と、前記読取用開口部の開放に基づいて前記媒体を搬送させ、この搬送される媒体の画像を前記読取用開口部を介して光学的に読み取る読取工程と、この読取工程で得られた読取情報に基づいて前記印刷画像の良否を判別する検査工程とを具備し、前記開閉部材は前記読取用開口部の開放時にはその端部で前記媒体の搬送方向後端部を支持し、前記媒体の搬送に伴なって媒体の搬送方向と同方向に移動する。
【００１８】
請求項４記載のものは、媒体に画像を印刷する印刷手段と、この印刷手段によって画像が印刷された媒体を読取位置に搬送する搬送手段と、この搬送手段によって搬送される媒体をガイドするガイド手段と、このガイド手段に設けられた読取用開口部と、この読取用開口部を閉塞することにより前記媒体の前記読取用開口部への入り込みを規制し、前記媒体が前記読取位置に搬送されたことに基づいて前記読取用開口部を開放する開閉部材と、前記読取用開口部の開放に基づいて前記媒体を搬送させ、この搬送される媒体の画像を前記読取用開口部を介して光学的に読み取る読取手段と、この読取手段の読取情報に基づいて前記印刷画像の良否を判別する検査手段とを具備し、前記開閉部材は前記読取用開口部の開放時にはその端部で前記媒体の搬送方向後端部を支持し、前記媒体の搬送に伴なって媒体の搬送方向と同方向に移動する。
【００１９】
請求項６記載のものは、媒体に画像を印刷する印刷工程と、この印刷工程によって画像が印刷された媒体を読取位置に搬送する搬送工程と、この搬送工程によって搬送される媒体を読取用開口部を有したガイド部材でガイドするガイド工程と、前記読取用開口部を開閉部材で閉塞することにより前記媒体の前記読取用開口部への入り込みを規制し、前記媒体が前記読取位置に搬送されたことに基づいて前記開閉部材を移動させて前記読取用開口部を開放する開閉工程と、前記読取用開口部の開放に基づいて前記媒体を搬送させ、この搬送される媒体の画像を前記読取用開口部を介して光学的に読み取る読取工程と、この読取工程で得られた読取情報に基づいて前記印刷画像の良否を判別する検査工程とを具備し、前記開閉部材は前記読取用開口部の開放時にはその端部で前記媒体の搬送方向後端部を支持し、前記媒体の搬送に伴なって媒体の搬送方向と同方向に移動する。
【発明の効果】
【００２０】
本発明によれば、画像読取時においては、媒体の搬送方向後端部を開閉部材の端部によって支持し、媒体の搬送に伴なって開閉部材を媒体の搬送方向と同方向に移動させるため、媒体の搬送方向後端部が読取用開口部から焦点方向に大きく動くことはない。従って、従来のように透明部材の端面の影が読み取りラインに映ってしまうということがなく、検査精度を向上できる。
【００２１】
また、画像の読取が終了するまで安定した姿勢で媒体を搬送することが可能となり、媒体読取面の照度変化も少なくなり、画像の読取精度も向上できる。
【発明を実施するための最良の形態】
【００２２】
以下、本発明を図面に示す実施の形態を参照して詳細に説明する。  
図１は本発明の一実施の形態である通帳類印刷装置１を示す全体構成図である。
【００２３】
この通帳類印刷装置１は通帳類取込部４を備え、この通帳類取込部４には媒体としての通帳類Ｔが閉じた状態で複数冊積層されてセットされ、一冊ずつ取り込まれるようになっている。この取込まれた通帳類Ｔは複数個の搬送ローラ対２によって搬送路３に沿って搬送される。搬送路３中には通帳類Ｔの搬送方向に沿ってページ捲り部６、ＯＣＲ読取部５、印刷手段としての中間転写印刷装置８、及び本発明に係わる検査装置９が配設されている。
【００２４】
また、検査装置９の搬出側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００２５】
図２は印刷装置の制御系を示すブロック図である。
【００２６】
上記した通帳類取込部４、ＯＣＲ読取部５、中間転写印刷部８、検査装置９、正常通帳類集積部１２、不良通帳類集積部１３は制御部１５を介してホストコンピュータ１７に接続されている。
【００２７】
中間転写印刷部８にはホストコンピュータ１７から制御部１５を介して個人情報などのテキスト情報や顔画像情報等が送信される。検査装置９は後述するように印刷画像の検査を行った後、印刷画像の良否判別結果を制御部１５に送信する。
【００２８】
上記したように構成される印刷装置において、制御部１５から印刷開始の指示が送信されると、通帳類取込部４が動作されて通帳類Ｔが１冊づつピッカ方式で印刷機内に取り込まれる。この通帳類Ｔは、ページめくり部６へ送られて印刷すべきページが開かれる。
【００２９】
通帳類Ｔの各頁には図示しないバーマークが印刷されており、ページめくり部６ではこのバーマークを図示しないバーマーク検知手段で検知しながら印刷するページを開いた状態にする。バーマークが印刷されるページと反対側のページには図３に示すように通帳固有番号１８がはじめから印刷されており、この番号をＯＣＲ読取部５にて読み取り、制御部１５へ読取結果を通知する。
【００３０】
一方、ホストＰＣ１７からは制御部１５に対して個人情報などのテキスト情報と顔画像情報が送られ、制御部１５ではそれらの情報とＯＣＲ読取部５で読み取った通帳固有番号から印刷データを作成し、中間転写印刷部８に印刷を指示する。中間転写印刷部８では制御部１５の指示に従い中間転写媒体８ａに印刷し、この印刷画像を図３に示すように通帳類Ｔのページに転写する。即ち、通帳類Ｔの図における下側のページＴａには通帳所持人のカラー顔画像１９と、所持人やその他のセキュリティ情報に加えて通帳類固有情報２０が黒文字で印刷される。これらカラー顔画像やセキュリティ情報は、ホログラムパターンを持つ薄膜オーバーコート層１６で覆われている。また、下側ページＴａの下端側には文字印刷の無い余白部分１４がある。
【００３１】
転写が行われた通帳類Ｔは検査装置９に送られ、後述するように検査動作が行われる。検査装置９での印刷画像の良否判別結果は制御部１５に送信され、制御部１５によって印刷画像の良否判別結果に応じて正常通帳類集積部１２或いは不良通帳類集積部１３への集積の切替が行われる。
【００３２】
次に、上記した検査装置９について詳しく述べる。
【００３３】
図４及び図５は本発明に係わる検査装置を示す構成図である。
【００３４】
検査装置９は図４に示す読取手段としての読取部２１と図５に示す検査手段としての判別部２２から構成されている。
【００３５】
読取部２１は通帳類Ｔに対して光を照明する光源２３と、この光源２３により照明されて通帳類Ｔから反射される反射光を所定方向に導くミラー２４及びレンズ２５、さらに、このレンズ２５により導かれる光を受光するＣＣＤセンサ２７から構成される光学系を備えている。
【００３６】
また、読取部２１は、通帳類Ｔを読取位置３２にガイドするガイド手段としての搬送ガイド２９，３０、搬送ガイドとしての機能を有する開閉部材としての搬送ガイドシャッタ３１、通帳類Ｔを搬送する搬送手段としての搬送ローラ対３３〜３５および通帳類Ｔの焦点方向への振れを押さえるためのバックアップローラ３６から構成される搬送駆動系から成る読取手段を備えている。搬送ガイド２９には読取位置３２に対向する状態で読取用開口部４２が形成されている。
【００３７】
光源２３は印刷するインクの種類に応じて異なる発行波長の光を照射するようになっている。例えば、インクが紫外領域の励起波長をもつ蛍光インクである場合には、光源２３は紫外線を照射し、また、主に赤外光に反射するインクの場合には、光源２３は赤外線を照射する。
【００３８】
バックアップローラ３６は図示しないバックアップローラ駆動手段により通帳類Ｔの押さえ位置と搬送ガイド３０より引っ込んだ状態の待機位置とに切替可能な構造になっている。また、通帳類Ｔの搬送路中には通帳類Ｔの位置を検知する図示しない通帳類位置検知センサが設けられている。搬送ガイドシャッタ３１は通帳類搬送方向と並行にスライド可能に取り付けられて読取用開口部４２を開閉するもので、検査光学系側には白基準板４０が設けられている。
【００３９】
図６は搬送ガイドシャッタ３１の動作範囲を示すものである。
【００４０】
搬送ガイドシャッタ３１は図６（ａ）に示すように、読取用開口部４２を塞ぐとともに読取位置３２に白基準板４０がある状態から、図６（ｂ）に示すように、読取ラインより待避して読取用開口部４２が開口する状態までの範囲をスライド移動するようになっている。
【００４１】
搬送ガイドシャッタ３１は搬送ガイドシャッタ位置検知センサと、駆動ベルト、パルスモータ及び減速機構（いずれも図示しない）から構成される駆動手段によりスライド移動される構造になっている。
【００４２】
図７は搬送ガイドシャッタ３１を示すもので、図７（ａ）はその側面図、図７（ｂ）は光学系側から見た下面図である。
【００４３】
搬送ガイドシャッタ３１の読取ライン側の端部には切欠き３１ａ，３１ａが形成され、この切欠き３１ａ，３１ａが形成される端部により通帳類Ｔの搬送方向後端部が支持されるようになっている。
【００４４】
一方、図５で示した判別部２２は、ＣＣＤセンサ２７に接続される光電変換部４５を有し、この光電変換部４５には通帳類Ｔに印刷された画像に欠損があるか否かの判定を行う検査部４６のＣＰＵ４７が接続されている。
【００４５】
ＣＰＵ４７は文字認識部４８、画像検査部４９および制御部インターフェース５０を備えている。ＣＰＵ４７は制御部インターフェース５０を介して上記した制御部１５に接続される。ＣＰＵ４７には元画像データおよび元テキストデータがストックされる画像メモリ５１が接続されている。
【００４６】
画像検査部４９は検出された顔画像等の画像情報を予め設定されたアルゴリズムに従って元画像データと比較検査し、画像欠損があるか否かの判定を行うものである。文字認識部４８は検出したテキストデータの画像情報を予め設定された認識アルゴリズムによりテキスト情報として認識し、元テキストデータとの整合性を判定するものである。
【００４７】
次に、上記した検査装置９の検査動作について説明する。
【００４８】
まず、図８に示すように搬送ガイドシャッタ３１を移動させて読取用開口部４２を閉塞するとともに（閉塞工程）、その白基準板４０を読取位置３２に位置させ、シェーディング補正のための白基準データを読み取る。この読取後、バックアップローラ３６が待機位置にある状態で通帳類Ｔが図中右側から左方向へ搬送され(搬送工程)、検査装置９に供給される。
【００４９】
このとき、搬送ガイドシャッタ３１が読取用開口部４２を塞いでいるため、通帳類Ｔは搬送ガイドシャッタ３１に沿ってガイドされる。従って、通帳類Ｔが読取用開口部４２に入り込んでジャムを発生するようなことがなく、良好な搬送が可能になる。
【００５０】
通帳類Ｔが読取開始位置３２まで搬送されると、図９に示すようには搬送ガイドシャッタ３１が待機位置まで移動されて読取用開口部４２が開放される（開放工程）。この状態から通帳類Ｔが搬送されるとともに、光源２３から光が通帳類Ｔに照射されて通帳類Ｔから反射される。この反射された光はミラー２４及びレンズ２５を介してＣＣＤセンサ２７に受光され通帳類Ｔ上の画像が読み取られる（読取工程）。このように、読取ライン付近が開口した状態で画像を読み取るため、従来のようなガラスガイドのようにゴミ付着や汚れが付くことによる読取画像の欠陥は生じることがない。
【００５１】
図１０は検査の対象である画像部分の読み取りが終了した状態を示す。この状態で通帳類Ｔの搬送方向後端部は搬送ガイドシャッタ３１の先端部で図中斜線で示すように３箇所で支持されている。通帳類Ｔがこの状態になったことを図示しない通帳類位置検出手段で検出し、その後は通帳類Ｔの搬送方向後端部を支持したまま搬送ガイドシャッタ３１を通帳類Ｔの搬送に同期させて移動させる。
【００５２】
図１１は検査のための画像の読み取りが終了した状態を示す。
【００５３】
図１０の状態から図１１の読み取りが終了する状態までの間、通帳類Ｔに同期して搬送ガイドシャッタ３１が移動する。このように通帳類Ｔは読み取り終了まで搬送ガイドシャッタ３２に支持されているために、通帳類Ｔが焦点方向に大きく動くことはなく、従来の問題点で説明した透明部材の端面の影が読み取りラインに映ってしまうという問題が解決される。
【００５４】
また、画像の読取が終了するまで安定した姿勢で通帳類Ｔを搬送することが可能になり、通帳類読取面の照度変化も少なくなるので品質良く画像を読み取ることができる。
【００５５】
さらに、搬送ガイドシャッタ３１の先端部で支持される図中３箇所の斜線部の画像が欠けた状態になるが、この部分は印刷のない余白部分であり検査する必要がない部分であるため問題ない。このようにして欠陥のない画像を得ることで後述する検査工程で正しい検査結果を得ることができる。
【００５６】
図１２は上記したように読み取られた画像を示すものである。
【００５７】
通帳類Ｔの搬送方向後端の一部が搬送ガイドシャッタ３１で隠れた画像になるが、搬送ガイドシャッタ３１の先端部の切欠部３１ａ，３１ａで通帳類Ｔの端面の画像を得ることができる。従って、通帳類Ｔの端面をＸ、Ｙ方向の位置基準として検査する画像領域の切り出しなどを行うことができる。また、通帳類Ｔの端面の角度を画像処理して検出することで通帳類Ｔのスキュー量を算出することも可能になる。
【００５８】
ところで、上記した画像の読取工程で光源２３により照明されて通帳類Ｔから反射される反射光はＣＣＤセンサ２７により受光されたのち、光電変換部４５で光電変換されて画像情報として取り込まれる。
【００５９】
この取込まれた画像情報は、図５に示すように検査部４６内に専用に設けられたＣＰＵ４７により顔画像等の画像情報と、テキストデータの画像情報に分離される。顔画像等の画像情報は、画像検査部４９で予め設定されたアルゴリズムに従って元画像データと比較検査され、画像欠損や汚れ等があるか否かの判定が行われる。また、テキストデータの画像情報は、同じく文字認識部４８で予め設定された認識アルゴリズムによりテキスト情報として認識され、示す元テキストデータとの整合性を判定する。ＣＰＵ４７はこれらの結果を、総合的に勘案して中間転写媒体８ａ上に印刷された画像に欠損や汚れ等があるか否かの最終判定を行う（検査工程）。
【００６０】
以下に顔画像検査などの検査アルゴリズムの一例を図１３から図１６を参照して説明する。
【００６１】
ＣＣＤセンサ２７により取り込まれた顔画像情報は、印刷された画像情報を撮像したもので、各工程での特性が反映された情報となっているため、印刷前の元画像データとそのまま一致する確率は少ない。このような画像情報から印刷の良否を判定するための検査を行うには、検査ポイントを絞って判断基準を明確にすることが必要となる。
【００６２】
検査方法としては、例えば、通帳類端面を基準として全体の画像のなかから顔写真領域を切り出し、顔写真背景との境界部分の輪郭線を抽出し、その形状を図１３に示す取込画像と図１４に示す元画像データとで比較し、異なる部分の輪郭線の総延長で良否を判定する。或いは、任意に決められた閾値により二値化を行い、白黒の面積比を図１５に示す取込画像と図１６に示す元画像データとで比較し、面積比の差異が一定範囲内か否かで良否を判定する。
【００６３】
また、通帳類Ｔの端面からの顔写真や文字の輪郭との距離を算出し、基準距離とのずれ量が一定範囲内か否かで良否判定する。これらの方法では微細な検査はできないとしても、大まかな検査によるふるい分けは可能となる。
【００６４】
なお、光源は印刷するインクの種類に応じて異なる発光波長の光を照射するため、例えば、インクが紫外領域の励起波長をもつ蛍光インクである場合には、光源は紫外線を照射するため、印刷画像の検査対象は可視光インクに限られず、応用が可能となる。
【００６５】
また、上記実施の形態では、中間転写印刷方式の通帳類の印刷機を用いたがこれに限られることなく、電子写真方式や、インクジェット方式の印刷方式であっても、印刷方式を問わず運用可能である。
【００６６】
さらに、本発明の検査装置における光学系および搬送駆動系は通帳類の検査装置のみならず、ＦＡＸの原稿読み取り部分やイメージスキャナなどにも応用可能である。
【００６７】
その他、本発明は、その要旨の範囲内で種々変形実施可能なことは勿論である。
【図面の簡単な説明】
【００６８】
【図１】本発明の一実施の形態である通帳類の印刷装置を示す構成図。
【図２】同印刷装置の制御系を示すブロック図。
【図３】同印刷装置によって印刷された通帳類を示す平面図。
【図４】同検査装置の画像読取部を示す図。
【図５】同検査装置の画像判別部を示すブロック図。
【図６】同検査装置の搬送ガイドシャッタの動作範囲を示す図。
【図７】同搬送ガイドシャッタを示すもので、（ａ）はその側面図、（ｂ）はその下面図。
【図８】同搬送ガイドシャッタによって読取用開口部が閉塞された状態を示す図。
【図９】同読取用開口部が開放されて通帳類の読取りが開始される状態を示す図。
【図１０】同通帳類の文字情報の読み取りが終了した状態を示す図。
【図１１】同通帳類の検査のための画像の読み取りが終了した状態を示す図。
【図１２】同画像読取部によって読み取られた画像を示す図。
【図１３】同検査部によって取込まれた画像情報を示す図。
【図１４】同検査部によって取込まれた画像情報の元画像データを示す図。
【図１５】同検査部によって取込まれた画像情報を示す図。
【図１６】同検査部によって取込まれた画像情報の元画像データを示す図。
【図１７】検査装置の第１の従来例を示す図。
【図１８】検査装置の第２の従来例を示す図。
【符号の説明】
【００６９】
Ｔ…通帳類（媒体）、８…中間転写印刷部（印刷手段）、２１…読取部（読取手段）、２２…判別部（検査手段）、２９，３０…搬送ガイド（ガイド手段）、３１…搬送ガイドシャッタ（開閉部材）、３１ａ…切欠部３３，３４，、３５…搬送ローラ対（搬送手段）、４２…読取用開口部。
【図１】
2005153164.tif 000003
【図２】
2005153164.tif 000004
【図３】
2005153164.tif 000005
【図４】
2005153164.tif 000006
【図５】
2005153164.tif 000007
【図６】
2005153164.tif 000008
【図７】
2005153164.tif 000009
【図８】
2005153164.tif 000010
【図９】
2005153164.tif 000011
【図１０】
2005153164.tif 000012
【図１１】
2005153164.tif 000013
【図１２】
2005153164.tif 000014
【図１３】
2005153164.tif 000015
【図１４】
2005153164.tif 000016
【図１５】
2005153164.tif 000017
【図１６】
2005153164.tif 000018
【図１７】
2005153164.tif 000019
【図１８】
2005153164.tif 000020